(57)【要約】【課題】固定脚テーブルであっても、倒立させることなく複数卓積み重ね収納できるようにしたテーブルを提供する。【解決手段】略矩形状の天板２の下部に設けられた４本の脚部のうち、後方に対向する１対の後部脚部４Ａは、天板２の側面より外側に突出した位置に設け、前方に対向する１対の前部脚部４Ｂは、天板２の前面より前方に突出した位置に設け、テーブルを複数段上下に積み重ねた時に、下方のテーブルの前記後部脚部４Ａの前面に上方のテーブルの前記後部脚部４Ａの後面が当接し、下方のテーブルの前記前部脚部４Ｂの前面に上方のテーブルの前記前部脚部４Ｂの後面が当接する。【選択図】      図５
0003147372.tif 000002
【実用新案登録請求の範囲】
【請求項１】
略矩形状の天板（２）の下部に設けられた４本の脚部のうち、後方に対向する１対の後部脚部（４Ａ）は、天板（２）の側面より外側に突出した位置に設けられ、前方に対向する１対の前部脚部（４Ｂ）は、天板（２）の両側面の内側であって天板の前面側に設けられていることを特徴とするテーブル。
【請求項２】
略矩形状の天板（２）の下部に設けられた４本の脚部のうち、後方に対向する１対の後部脚部（４Ａ）は、天板（２）の側面より外側に突出した位置に設けられ、前方に対向する１対の前部脚部（４Ｂ）は、天板（２）の前面より前方に突出した位置に設けられているテーブルであって、複数のテーブルを上下に積み重ねた時に、下方のテーブルの前記後部脚部（４Ａ）の前面に上方のテーブルの前記後部脚部（４Ａ）の後面が当接し、下方のテーブルの前記前部脚部（４Ｂ）の前面に上方のテーブルの前記後部脚部（４Ａ）の後面が当接するようにしたことを特徴とするテーブル。
【請求項３】
前記各脚部の上端は、天板（２）の下面を支持するとともに、平面視で略矩形状に枠組みされた水平枠（３）の延長端部に連結固定されているとともに、前記一対の後部脚部（４Ａ）は、水平枠（３）を構成する後部枠材（３ａ）の延長側端部に連結固定され、前記一対の前部脚部（４Ｂ）は、水平枠（３）を構成する両側部枠材（３ｃ，３ｃ）の延長前端部に連結固定されていることを特徴とする請求項１又は２に記載のテーブル。
【請求項４】
前記一対の前部脚部（４Ｂ）の前部上端の角部は、アール形状又は傾斜形状としたガイド面（４Ｂ’）とされていることを特徴とする請求項２又は３に記載のテーブル。
【請求項５】
前記水平枠（３）の延長端部にほぞ（５）を突設するとともに、脚部の上端部にはほぞ孔（４ａ）を穿孔し、かつ前記ほぞ（５）には割溝（５ａ）を形成してなり、前記ほぞ（５）にほぞ孔（４ａ）を嵌合した状態で、前記割り溝にくさび（６）を圧入することにより、前記ほぞ（５）を拡開させて前記脚部の上端部を水平枠（３）の延長端部に締まりばめ状態に固定したことを特徴とする請求項３又は４に記載のテーブル。
【考案の詳細な説明】
【技術分野】
【０００１】
本考案は、複数のテーブルを積み重ね収納可能とした、主として木製の矩形テーブルに関する。
【背景技術】
【０００２】
会議室、食堂などに用いるテーブルは、間口幅で２〜３人掛け分程度の長さ寸法で、奥行き寸法が小さい細長状のテーブルが用いられ、このテーブルをユニットの最小単位として、その時々の使用形態に合わせて複数列配置したり、互いに向かい合わせて突き合わせて用いたり、あるいはロ字形配置などに組み合わせて用いている。
【０００３】
また、非使用時にはこれらテーブルを室内の片隅に寄せておくことで、室内を広く使えるようにしており、特に金属製テーブル（金属製のフレームおよび脚部に天板を組み合わせたもの）の場合には、さらに格納面積を小さくするための各種工夫がなされている。
【０００４】
例えば、脚部に対し天板を半回転可能とし、天板下にあるロック機構を解除することによって、天板を半回転させて脚部に対し平行（設置面に対し鉛直）とし、横に重ねられるようにしたり、折り畳み脚を備えたテーブルの場合には、脚を折り畳むことによって上下にスタックしておくことができ、いずれも非使用状態では一箇所に集合させておくことにより、室内の占有床面積を最小とすることができる。
【考案の開示】
【考案が解決しようとする課題】
【０００５】
しかし、天板や脚部などの全てを木材製とした木製テーブルの場合には、前記半回転式あるいは折り畳み式などの可動部を設けると、この部分の強度、耐久性が低下するので、例えばちゃぶ台のような小卓を例外として、通常は固定脚としている。このため、これらテーブルの非使用時には、下部側テーブルに対し、上部側テーブルを天地逆にして倒立させ、天板同士を重ね合わせた状態で積み重ね収納しなければならず、倒立動作をしなければならないため、片付けや元の配列に戻すための作業が面倒で、労力も大きく、かつ２段しか積み重ねできないため、最小な状態に格納・集積できない課題があった。
【０００６】
そこで本発明は、以上の課題を解決するものであり、前記のごとき木製のテーブルであっても、倒立させることなく複数卓積み重ね収納できるようにしたテーブルを提供することを目的とするものである。
【課題を解決するための手段】
【０００７】
前記目的を達成するため、本願請求項１に記載のテーブルは、図の実施の形態にも示すように、略矩形状の天板２の下部に設けられた４本の脚部のうち、後方に対向する１対の後部脚部４Ａは、天板２の側面より外側に突出した位置に設けられ、前方に対向する１対の前部脚部４Ｂは、天板２の両側面の内側であって、天板の前面側に設けられていることを特徴としている。
前部脚部４Ｂは、天板２の前面の内方に設けられていても良い。また、前部脚部４Ｂは、天板２の前面から突出した位置に設けられていても良い。
【０００８】
請求項２に記載のテーブルでは、上記テーブルを複数段上下に積み重ねた時に、下方のテーブルの前記後部脚部４Ａの前面に上方のテーブルの前記後部脚部４Ａの後面が当接し、天板２の前面から突出した位置に設けられている前記前部脚部４Ｂの前面に上方のテーブルの前記前部脚部４Ｂの後面が当接するようになる。
【０００９】
請求項３のテーブルでは、前記各脚部の上端は、天板２の下面を支持するとともに、平面視で略矩形状に枠組みされた水平枠３の延長端部に連結固定されているとともに、前記一対の後部脚部４Ａは、水平枠３を構成する後部枠材３ａの延長側端部に連結固定され、前記一対の前部脚部４Ｂは、水平枠３を構成する両側部枠材３ｃ，３ｃの延長前端部に連結固定されている。
【００１０】
請求項４に記載されるように、前記一対の前部脚部４Ｂの前部上端の角部は、アール形状又は傾斜形状としたガイド面４Ｂ’とされていることが望ましい。
【００１１】
請求項５に記載の本発明に係るテーブルでは、水平枠３の延長端部にほぞ５を突設するとともに、脚部の上端部にはほぞ孔４ａを穿孔し、かつ前記ほぞ５には割溝５ａを形成してなり、前記ほぞ５にほぞ孔４ａを嵌合した状態で、前記割り溝にくさび６を圧入することにより、前記ほぞ５を拡開させて前記脚部の上端部を水平枠３の延長端部に締まりばめ状態に固定したことを特徴とする。
【考案の効果】
【００１２】
以上により、本考案にあっては、４本の脚部のうち、１対の後部脚部が天板の外側に突出しているため、倒立することなく、その脚位置をずらしつつ、下部側テーブル上に上部側テーブルを複数台積み重ねできるため、非使用状態における専用床面積を減少でき、しかも格納、取り出し時には、天地逆にする作業が不要となるほか、外観的には斬新なデザイン性を得ることができる。また、４本の脚部のうち、１対の後部脚部が天板の外側に突出し、また、一対の前部脚部を天板の前縁から突出させることにより、例えば、車椅子利用者のための滑り止めとなり安全性が確保される。
【００１３】
請求項３の構成によれば、水平枠により天板を安定して支持できる。また、積み重ね時に、上部のテーブルの水平枠の下面が下部のテーブルの天板上面に接し、テーブルの積み重ね状態が安定する。
【００１４】
請求項４の構成によれば、積み重ね収納時に、上側のテーブルを下側のテーブルの前部脚部のガイド面に沿って滑らせるようにして上部に積み重ねることができ、その作業が容易となる。
【００１５】
請求項５の構成によれば、釘やねじを使用することなく水平枠の延長端部に脚部の上端部を強固に固定でき、美観の点でも優れている。
【考案を実施するための最良の形態】
【００１６】
図１は本考案のテーブルを示す平面図、正面図および側面図、図２，３は同斜視図である。各図において、テーブル１は、全木製であり、木材単板または接ぎ合わせ合板からなる天板２と、天板２の下面を支持する水平枠３と、水平枠３に上端を連結された角材からなる４本の脚部４とからなっている。
【００１７】
天板２は、横長矩形状となっており、２〜３人掛け用に作られたものである。また水平枠３は、平面視で略矩形状に枠組みされた角材からなるもので、天板２の間口方向と平行な前後２本の横材からなる後部枠材３ａ及び前部枠材３ｂと、これと直交して奥行き方向に配置される１対の縦材からなる側部枠材３ｃ，３ｃとを平面視で略鳥居形に枠組みしたものであり、このうち後部枠材３ａの延長端部および側部枠材３ｃ，３ｃの前方延長端部を天板２の左右側面および手前側側面に一致させ、これら各位置に後部脚部４Ａ，４Ａ及び前部脚部４Ｂ，４Ｂの上端をほぞとほぞ孔による木工継手構造を介して固定するものであり、その取付手順を図４を用いて説明する。
【００１８】
まず図４（ａ）に示すように、後部枠材３ａの両延長端面にほぞ５を突設し、その下部側に割り溝５ａを形成しておく。また、後部脚部４Ａ，４Ａの上部にはこのほぞ５の外形と一致するほぞ孔４ａを穿設し、さらには前記割り溝５ａに差し込まれるくさび６を用意しておく。次に、図４（ｂ）に示すように、ほぞ孔４ａをほぞ５に差し込んだ後、くさび６を割溝５ａに差し込み、木槌などにより打ち込んで圧入することにより、割溝５ａは、拡開し、ほぞ５に対してほぞ孔４ａはしばりばめ状態に嵌合され、後部脚部４Ａ，４Ａは、後部枠材３ａの端部に強固に固定される。その後くさび６の突出部を切除して、整形すれば、（ｃ）に示すように、取付作業を完了する。
【００１９】
なお、側部枠材３ｃ，３ｃに対する前部脚部４Ｂ，４Ｂの取付も同一要領で行える（図１の円内拡大部参照）ほか、図示しないが、水平枠３の組立もほぞとほぞ孔およびくさびを組み合わせた木工継手構造を採用でき、これらによって釘や木ねじを使用することなく各部の組立を行うことができる。
【００２０】
前記一対の前部脚部４Ｂの前部上端の角部は、アール形状又は傾斜形状としたガイド面４Ｂ’とされている。また、水平枠３の底面は、面方向に連続するように同一水平面とされている。
【００２１】
その後、天板２を水平枠３の上部に組付ければ、図１，３に示すようにテーブル１が完成する。組立完成状態において、天板２は水平枠３の後部枠材３ａの幅分だけ前方に突出し、両側部が側部枠材３ｃ，３ｃの幅分だけオーバハングしている。従ってこのテーブル１をユニットの最小単位として複数のテーブル１同士を組み合わせた場合に、各脚部４Ａ，４Ｂが天板２の側部より突出しているにも関わらず、天板２の縁部同士を接合した組合せを可能としている。なお、天板２と水平枠３との接合は、木工継手構造を使用してもよく、通常のねじ釘を用いた接合であってもよい。
【００２２】
組立後はその木目の肌合いを生かして無色または着色透明塗装仕上げがなされ、製品として完成する。完成したテーブル１は、それ単体としても脚部４Ａ，４Ｂが天板２の両側部から突出した新規なデザインのテーブルとして用いることができるが、このテーブル１をユニットの最小単位として複数卓組み合わせて用いるようになっている。
【００２３】
また、複数卓ある場合、この各テーブル１を一箇所に片づけるには、図５に示すように、両側部の後部脚部４Ａ，４Ａの重複を避けた位置で順次積み上げるだけで、両側部の脚部および手前側の脚部を順次配列しつつ複数卓のテーブル１を積み重ね状態に格納できる。積み重ね時には、積み重ね上部のテーブル１の天板２の後縁を、積み重ね下部のテーブル１の前部脚部４Ｂ，４Ｂのガイド面４Ｂ’，４Ｂ’に沿って乗り上げるようにして上方に滑らせるように積み上げることにより、積み上げ操作が容易になる。
【００２４】
なお、積み重ね毎に最下段のテーブル１の重心位置に対して順次重心位置がずれ、不安定となるが、図示のごとく４段程度であれば、重心移動も小さな範囲であるため、比較的安定した積み重ね状態に保持される。また、これ以上多段に積み重ねたとしても、一般に室内の壁際などに片づけられるものであるため、その重心を壁面に預けるようにすれば、安定した積み重ね格納が可能となる。
【００２５】
以上のテーブル１は、それ単独を前後に複数配列することによって、恰も教室の机のごとき並びの２〜３人掛け用の机として使用できるほか、図６に示すように、テーブル１同士を奥行き方向で接合して用いることにより、対向する四つの椅子１０に対応する２倍面積の大きなテーブルとして使用できる。このとき、手前側の脚部４が相手側の天板２の下に位置する配置とすることにより、天板２同士を互いに接して用いることができる。
【００２６】
次に図７は、会議室のテーブルなどのように、互いに対面する横に配列された２卓のテーブル１の両側端部に互いに対面する１卓のテーブル１を備えた、合計６卓のテーブル１によりロ字形配置とした組合せ例を示すものである。この場合には、隣り合うテーブル１の各脚部４の位置が互いに干渉しないように、逆向き配置とすることによって、奥行き方向縁部同士あるいは長手方向縁部と奥行き方向縁部間を互いに接して配置することができる。
【００２７】
以上、テーブル１をユニットとして組み合わせた一般的な配置例を示したが、その時々の使い勝手に応じた組合せ配置とすることができることは勿論である。
【００２８】
また、単に積み重ね可能だけでなく、デザイン的にも斬新であるため、単独使用することも可能であり、間口／奥行きなどの縦横の寸法比などもその用途などに応じて変更可能であることは勿論である。
【図面の簡単な説明】
【００２９】
【図１】本考案に係るテーブルの平面図、正面図および側面図である。
【図２】同テーブルの脚部と天板との関係を示す分解斜視図である。
【図３】同テーブルの組立完成状態を示す斜視図である。
【図４】（ａ），（ｂ），（ｃ）は図２のＡ部における水平杆に対する脚の取付手順を示す要部斜視図である。
【図５】同テーブルを複数積み重ねた状態を示す側面図である。
【図６】同テーブルを突き合わせて使用する場合の使用例を示す斜視図である。
【図７】同テーブルをロ字形配列した場合の使用例を示す斜視図である。
【符号の説明】
【００３０】
１  テーブル
２  天板
３  水平枠
３ａ  後部枠材
３ｂ  前部枠材
３ｃ  側部枠材
４Ａ  後部脚部
４Ｂ  前部脚部
４Ｂ’  ガイド面
４ａ  ほぞ孔
５  ほぞ
５ａ  割溝
６  くさび
１０  椅子
【図１】
0003147372.tif 000003
【図２】
0003147372.tif 000004
【図３】
0003147372.tif 000005
【図４】
0003147372.tif 000006
【図５】
0003147372.tif 000007
【図６】
0003147372.tif 000008
【図７】
0003147372.tif 000009